(57)【要約】      （修正有）【課題】技術者が計器を接続したり再接続したりするのに要する時間を低減するための携帯型システムを提供する。【解決手段】測定システム２０に用いるゲートウェイデバイス２２は、第１のプロトコルに従ったデータを含み、かつ少なくとも１つの携帯型測定デバイス２４からの少なくとも１つの測定値を含む、少なくとも１つの信号を受信する第１の通信システム３４と、前記データを含む信号を、第１のプロトコルとは異なる第２のプロトコルに従った前記データを含む翻訳信号に翻訳するように構成されたデータトランスレーターと、前記ゲートウェイデバイス２２上のデータを集めるデータメモリシステム４０とを備える。【選択図】図２Ａ
2014032668.tif 000002
【特許請求の範囲】
【請求項１】
測定システムに用いるゲートウェイデバイスであって、
第１のプロトコルに従ったデータを含み、かつ少なくとも１つの携帯型測定デバイスからの少なくとも１つの測定値を含む、少なくとも１つの信号を受信するように構成された第１の通信システムと、
前記データを含む信号を、第１のプロトコルとは異なる第２のプロトコルに従った前記データを含む翻訳信号に翻訳するように構成されたデータトランスレーターと、
前記データを集めるように構成されたデータメモリシステムとを備えることを特徴とする、ゲートウェイデバイス。
【請求項２】
前記データは、前記少なくとも１つの携帯型測定デバイスからの複数の測定値を含むことを特徴とする、請求項１に記載のゲートウェイデバイス。
【請求項３】
前記データは、複数の携帯型測定デバイスからの複数の測定値を含むことを特徴とする、請求項１に記載のゲートウェイデバイス。
【請求項４】
前記第１の通信システムは、前記複数の携帯型測定デバイスから、前記第１のプロトコルに従ったデータを含む複数の信号を受信することを特徴とする、請求項３に記載のゲートウェイデバイス。
【請求項５】
前記複数の信号は、２つよりも多い信号、７つよりも多い信号、及び１０よりも多い信号からなる群から選ばれることを特徴とする、請求項４に記載のゲートウェイデバイス。
【請求項６】
前記データメモリシステムに集められたデータを別のコンピュータデバイスに伝えるように構成された第２の通信システムをさらに備えることを特徴とする、請求項１に記載のゲートウェイデバイス。
【請求項７】
前記翻訳信号を別のコンピュータデバイスに送信するように構成された第２の通信システムをさらに備えることを特徴とする、請求項１に記載のゲートウェイデバイス。
【請求項８】
前記第２のプロトコルは、近距離フィールドプロトコル、赤外線プロトコル、ＢＬＵＥＴＯＯＴＨプロトコル、ＩＥＥＥ８０２プロトコル、及び有線接続プロトコルからなる群から選ばれることを特徴とする、請求項１に記載のゲートウェイデバイス。
【請求項９】
前記データメモリシステムに集められたデータを表示するディスプレイをさらに備えることを特徴とする、請求項１に記載のゲートウェイデバイス。
【請求項１０】
前記ゲートウェイデバイスはディスプレイを備えていないことを特徴とする、請求項１に記載のゲートウェイデバイス。
【請求項１１】
前記データメモリシステムに集められたデータを操作するように構成されたデータ操作システムをさらに備えることを特徴とする、請求項１に記載のゲートウェイデバイス。
【請求項１２】
前記ゲートウェイデバイスは測定デバイスではないことを特徴とする、請求項１に記載のゲートウェイデバイス。
【請求項１３】
第１の通信システムはシングルエンドの連結処理を用いて前記少なくとも１つの携帯型測定デバイスと通信するように構成され、前記ゲートウェイデバイスのみを立ち上げることによって、前記少なくとも１つの携帯型測定デバイスが前記ゲートウェイデバイスと通信するように構成されることを特徴とする、請求項１に記載のゲートウェイデバイス。
【請求項１４】
携帯型測定デバイスから測定データを集める方法であって、
ゲートウェイデバイスの第１の通信システムにおいて、第１のプロトコルに従ったデータを含み、かつ少なくとも１つの携帯型測定デバイスからの少なくとも１つの測定値を含む、少なくとも１つの信号を受信する工程と、
前記データを含む信号を、第１のプロトコルとは異なる第２のプロトコルに従った前記データを含む翻訳信号に翻訳する工程と、
前記ゲートウェイデバイス上のデータメモリシステムに前記データを記憶する工程とを備えることを特徴とする方法。
【請求項１５】
前記ゲートウェイデバイスの第２の通信システムを用いて、前記翻訳信号を別のコンピュータデバイスに送信する工程をさらに備えることを特徴とする、請求項１４に記載の方法。
【請求項１６】
シングルエンドの連結処理を用いて、前記第１の通信システムと前記少なくとも１つの携帯型デバイスとの間に通信リンクを設ける工程をさらに備え、前記ゲートウェイデバイスのみを立ち上げることによって、前記少なくとも１つの携帯型測定デバイスが前記ゲートウェイデバイスと通信するように構成されていることを特徴とする、請求項１４に記載の方法。
【発明の詳細な説明】
【背景技術】
【０００１】
機械の不具合をトラブルシューティングするとき、技術者は、基本的な故障の発見や現場での作業に有用な携帯型デバイスを通常使用する。これらのデバイスは通常、電子機器、モーター制御装置、家庭用電化製品、電源、及び配線システム等、広範囲にわたる産業用及び家庭用デバイスにおいて、電気的又は機械的等の不具合をトラブルシューティングするのに用いることができる。
【０００２】
トラブルシューティング中に適切な診断をするために、技術者はそれぞれ異なる場所で複数回測定を行い、場合によっては同時又は互いに近いタイミングで測定することもある。それぞれの測定位置は、例えば、機械の後ろ又は所定の位置に係合したパネルの背後等の、手の届きにくい場所である場合もある。また、測定のために技術者が係合を解除しなければならない場合、技術者や他の作業員が危険な状況にさらされる場合もある。さらに、技術者が機械の後ろで測定機器を接続しなければならない場合、他人の協力が必要なことが多く、そうでなければ機械を操作したり測定値を読み取ったりするために、絶えず行き来しなければならない。
【発明の概要】
【発明が解決しようとする課題】
【０００３】
したがって、技術者が計器を接続したり再接続したりするのに要する時間を低減するためのシステムが必要である。そのようなシステムによって、技術者は機器の電源を安全に切り、適切な計器を接続し、その後、計測前にパネルを安全に開いたり係合を解除したりできる。さらに、間欠的に起こる不具合をトラブルシューティングするために同時又はほぼ同時に複数回計測できるシステムが必要とされている。
【課題を解決するための手段】
【０００４】
後述する発明の詳細な説明でさらに詳しく述べる概念を、以下の発明の概要で導入する。この発明の概要は、請求項に記載された主題の主な特徴を特定するものではなく、請求項に記載された主題の範囲を定義するものでもない。
【０００５】
本開示の少なくとも１つの実施形態において、ホスト携帯型測定デバイスが提供される。このデバイスは、一般に、第１のパラメータを測定して第１の測定値を決定する測定システムを備える。第１のパラメータは、例えば電気的パラメータであってもよい。このデバイスは、別の測定デバイスから少なくとも１つの第２の測定値を受信するシステムをさらに備えてもよい。
【０００６】
本開示の別の実施形態によれば、ホスト携帯型測定デバイスを用いたパラメータの測定方法が提供される。この方法は一般に、ホストデバイスを用いて第１のパラメータを計測する工程と、別の測定デバイスで決定した第２の測定値をこの別の測定デバイスから受信する工程とを備える。
【０００７】
本開示の別の実施形態によれば、携帯型モジュールデバイスが提供される。このデバイスは、一般に、第１のパラメータを測定して第１の測定値を決定する測定システムと、第１の測定値を別のホスト測定デバイスへ伝える通信システムとを備え、ホストデバイスのみを起動することによって、ホスト測定デバイスと通信システムとの間に通信リンクが自動的に設けられる。
【０００８】
本開示の別の実施形態によれば、携帯型モジュールデバイスを用いたパラメータの測定方法が提供される。この方法は、一般に、別のホスト測定デバイスを起動することによってモジュールデバイスと別のホスト測定デバイスとの間の通信リンクをアクティブにする工程を備えている。この方法はさらに、携帯型モジュールデバイスを用いて第１のパラメータを測定し第１の測定値を決定する工程と、この第１の測定値をホストデバイスに伝え、ホストデバイスが決定した第２の測定値を表示する工程とを備える。
【０００９】
本開示の別の実施形態によると、パラメータを測定するための携帯型システムが提供される。このシステムは一般に、第１の測定値を取得可能な第１のデバイスを備える。第１の測定値は、電気的、機械的、又は物理的パラメータであってもよい。このシステムは、第２の測定値を取得し、第１のデバイスへ送信可能な第２のデバイスをさらに備える。
【００１０】
本開示の別の実施形態によると、携帯型システムを用いてパラメータを測定する方法が提供される。この方法は一般に、第１の携帯型デバイスを用いて電気的、機械的、又は物理的パラメータである第１の測定値を取得する工程と、第２の携帯型デバイスを用いて第２の測定値を取得して第１の携帯型デバイスへ送信する工程と、第１及び第２の測定値を第１の携帯型デバイスのディスプレイに表示する工程とを備える。
【００１１】
本開示の別の実施形態によると、携帯型システムを用いてパラメータを測定する方法が提供される。この方法は一般に、第１のデバイスのみを起動して第１及び第２のデバイスの間に自動的にリンクを設けることにより第２のデバイスを第１のデバイスに連結する工程と、第１のデバイスを用いて第１の測定値を取得する工程と、第２のデバイスを用いて第２の測定値を取得する工程と、第２の測定値を第１のデバイスに送信する工程とを備える。
【００１２】
本開示の別の実施形態によると、測定システムに用いるゲートウェイデバイスが提供される。このゲートウェイデバイスは一般に、第１のプロトコルに従ったデータを含み、かつ少なくとも１つの携帯型測定デバイスからの少なくとも１つの測定値を含む、少なくとも１つの信号を受信するように構成された第１の通信システムと、前記データを含む信号を、第１のプロトコルとは異なる第２のプロトコルに従った前記データを含む翻訳信号に翻訳するように構成されたデータトランスレーターと、前記データを集めるように構成されたデータメモリシステムとを備える。
【００１３】
本開示の別の実施形態によると、携帯型測定デバイスからの測定データを集める方法が提供される。この方法は一般に、ゲートウェイデバイスの第１の通信システムにおいて、第１のプロトコルに従ったデータを含み、かつ少なくとも１つの携帯型測定デバイスからの少なくとも１つの測定値を含む、少なくとも１つの信号を受信する工程と、前記データを含む信号を、第１のプロトコルとは異なる第２のプロトコルに従った前記データを含む翻訳信号に翻訳する工程と、前記ゲートウェイデバイス上のデータメモリシステムに前記データを記憶する工程とを備える。
【図面の簡単な説明】
【００１４】
上述した態様及び本開示に付随する利点の多くは、添付の図面とともに以下の詳細な説明を参照することによってさらに容易に理解できるであろう。
【図１】図１は、本開示の実施形態によるシステムを示す模式図である。
【図２Ａ】図２Ａは、図１に示すシステムにおける第１のデバイスの動作を示す模式図である。
【図２Ｂ】図２Ｂは、本開示のある実施形態による、（ａ）で示すシステムの発見及び連結動作を示すフロー図である。
【図３】図３は、本開示のある実施形態による第１のデバイスの正面図である。
【図４】図４は、本開示の実施形態によるシステムの例を示す。
【図５】図５は、本開示の実施形態によるシステムの例を示す。
【図６】図６は、本開示の実施形態によるシステムの例を示す。
【図７】図７は、本開示の実施形態によるシステムの例を示す。
【図８】図８は、本開示の別の実施形態によるゲートウェイシステムの動作を示す模式図である。
【図９】図９は、本開示の実施形態によるゲートウェイシステムの例を示す図である。
【図１０】図１０は、本開示の実施形態によるゲートウェイシステムの例を示す図である。
【図１１】図１１は、本開示の実施形態によるゲートウェイシステムの例を示す図である。
【発明を実施するための形態】
【００１５】
本開示の実施形態は、一般に、電気的、機械的、及び物理的測定パラメータ等のパラメータを測定するための、携帯型システム、個々の構成要素、及びそのようなシステム並びに構成要素を用いる方法に関する。ここに述べる実施形態は、閉じたパネル又は係合装置の背後を含むそれぞれ別の位置にある場合がある、複数の測定パラメータをテスト又は監視するのに有用である。
【００１６】
本開示の様々な態様を詳細に説明する前に、以下の説明における１つ以上の部分は、従来の電子部品で行われうる論理及び操作に関することを理解する必要がある。これらの電子部品は、単一の場所でグループ化されるか又は広範囲に分布しており、一般に、コントローラー、マイクロコントローラ、コントロールユニット、プロセッサ、マイクロプロセッサ等を含む。当業者であれば、ここで述べる論理はいずれも、ハードウェア、ソフトウェア、及びこれらの組み合わせを含む様々な構成によって実現されることが理解できるが、必ずしもそれらに限定されるものではない。ハードウェアは、アナログ回路、デジタル回路、処理ユニット、特定用途向け集積回路（ＡＳＩＣ）等、及びこれらの組み合わせを含んでもよいが、これらに限定されるものではない。システムの構成要素が分布した状況において、これらの構成要素は通信リンクを介して互いにアクセス可能である。
【００１７】
いくつかの実施形態を図示し説明しているが、本開示の意図と範囲を逸脱しない範囲で様々な変更を加えてもよい。本開示で説明する各実施形態は単なる例示又は説明であり、他の実施形態よりも好ましい又は有利であると解釈すべきではない。ここで図示された例は全てではなく、開示された通りの形態に限定されない。さらに、本開示の実施形態は、ここで述べる様々な特徴を組み合わせたものであってもよい。
【００１８】
図１及び図２に示すように、本開示の実施形態は、測定パラメータを取得し表示するためのシステム２０に関する。システム２０は、携帯型又は持ち運び可能な複数のデバイスを備える。例えば、システム２０は、１つの第１のデバイス２２と、少なくとも１つの第２のデバイス２４とを備える。本開示のある実施形態において、第１のデバイス２２は第１の測定値を取得することができ、第２のデバイス２４は、第２の測定値を取得し、第１のデバイス２２へ送信することができる。
【００１９】
ここで述べる実施形態の１つの利点は、ユーザが本開示のシステムを操作し、遠隔地又は機械又は係合装置の背後等の手の届く範囲で測定することができることである。この場合、少なくとも１つの第２のデバイス２４を第１のデバイス２２から離れた位置に配置し、少なくとも１つの第２のパラメータをテスト又は監視してもよい。したがって、第１のデバイス２２は、第１のパラメータをテスト又は監視するだけでなく、その結果を示すデータをユーザに表示することができ、さらに第１のデバイス２２は第２のデバイス２４からデータを受け取り、ユーザに対して第１のデバイス２２上でそのデータを表示することができる。そのため、このシステム２０において、ユーザがデータを読むために第２のデバイス２４の位置まで行く必要が無くなるため、ユーザの作業が簡潔になる。
【００２０】
ここで、システム２０は第１及び第２のデバイス２２、２４を備えるとしているが、システム２０において、測定値を取得して第１のデバイス２２に伝えるためのデバイスの個数は特に限定されない。本開示の少なくとも１つの実施形態において、システム２０は最大１０個のそれぞれ個別のデバイスを備えてもよい。本開示のある実施形態では、システム２０は最大２０のそれぞれ個別のデバイスを備えてもよい。本開示の別の実施形態では、システム２０が備えるそれぞれ個別のデバイスの個数は特に限定されない。後で詳しく説明するように、２つよりも多いデバイスを備えるシステム２０において、システム２０は、第１のデバイス２２を有する１対多数（又は「星型」）通信構成を有している。
【００２１】
ここで述べる携帯型システム又はデバイスは、測定値を取得する間ユーザの手で保持できるように一般に構成された１又は複数のデバイスを有する。しかし、このシステム又はデバイスは必ずしもユーザの手で保持されなくてもよく、例えば、支持体又は機械にシステム又はデバイスを固定するか掛けることで設置してもよい。
【００２２】
一般に、携帯型システム２０は、電気的、機械的、又は物理的パラメータ等の少なくとも１つのパラメータを測定するように構成されている。この場合、システム２０における１又は複数のデバイスは、電圧、電流、振動、抵抗、容量、インダクタンス、周波数、及び第１の電気的、機械的、又は物理的測定値から計算されるあらゆる値を含む少なくとも１つのパラメータを測定するために構成されるが、必ずしもこれらに限定されるものではない。システム２０における１又は複数のデバイスは、温度、相対湿度、デシベル、磁場、流速、湿度、回転速度、圧力、距離、光、接触赤外線、さらにはワット数、電力品質、波高率、及びデューティーサイクル等の第１の測定値から計算された値を含む非電気的又は非機械的パラメータを測定するように構成されるが、これらに限定されるものではない。
【００２３】
同じく図１及び図２に示すように、第１のデバイス２２はホストデバイスであってもよい。この場合、第１のデバイス２２は、システム２０における様々なデバイス、例えば第２のデバイス２４（又は複数のモジュールデバイス）からのデータを集めるように構成されてもよい。さらに、第１のデバイス２２は、１又は複数の測定値をそれぞれ取得してそれらの測定値からのデータを集めるテスト計器であってもよい。後でさらに詳しく説明するように、第１のデバイス２２は、データを表示するためのディスプレイ３０をさらに備えてもよく、このデータはシステム２０における他のデバイスから集めたものであっても、第１のデバイス２２で測定したものであってもよい。
【００２４】
本開示のある実施形態において、第１のデバイス２２は、図３に示す実施形態における携帯型デジタルマルチメータ等のマルチメータである。この場合、第１のデバイス２２は、１又は複数の測定機能を１つのユニットにまとめた電子測定器であってもよい。本開示を限定しないある例において、第１のデバイス２２は、図３に示す例示的な実施形態で設けられた複数のロータリースイッチ１８２で示すような、直流電圧、交流電圧、抵抗、導通、及び電流等の複数の測定値を得られるように構成されてもよい。
【００２５】
第２のデバイス２４は、第１のデバイス２２と通信するモジュールデバイスであってもよい。この場合、第２のデバイス２４は第１のデバイス２２と同じ構成であってもよいし、又は違う構成であってもよい。本開示のある実施形態において、第２のデバイス２４は携帯型デジタルマルチメータである。本開示の別の実施形態では、第２のデバイス２４は、例えば、温度モジュール（図４参照）、クランプメータ（図５及び図６参照）、又は屈曲可能な電流プローブメータ（図７参照）であってもよい。
【００２６】
図２（ａ）の模式図を参照して、第１のデバイス２２の構成要素をさらに詳しく説明する。第１のデバイス２２は、入出力（Ｉ／Ｏ）インターフェース２８（例えば、ユーザ入力のためのディスプレイ３０及び入力インターフェース３６）、測定値を取得するための測定システム３２、情報を送受信するための第１の通信システム３４、中央処理装置（ＣＰＵ）又はプロセッサ３８、及び情報を記憶するための記憶システム４０等の様々な構成要素を備えてもよい。第１のデバイス２２は、任意で第２の通信システム４２をさらに備えてもよい。
【００２７】
デバイスの特定の構成及び種類によっては、記憶システム４０は、読み出し専用メモリ（「ＲＯＭ」）、ランダムアクセスメモリ（「ＲＡＭ」）、ＥＥＰＲＯＭ、フラッシュメモリ、又は他のメモリ装置等の、揮発性又は不揮発性メモリの形態のシステムメモリを備えてもよい。当業者であれば、システムメモリは一般に、直ちにアクセスできる及び／又はプロセッサ３８上で現在動いているデータ及び／又はプログラムモジュールを記憶できることを理解できるであろう。この場合、プロセッサ３８は、プログラムの命令の実行を補助することにより第１のデバイス２２の計算の中心として機能する。
【００２８】
メモリはまた、記憶メモリを備えてもよい。記憶メモリは、揮発性又は不揮発性、取り外し可能又は取り外し不可能なメモリのいずれであってもよく、情報を記憶できるいかなる技術で実現してもよい。記憶メモリの例としては、ハードドライブ、ソリッドステートドライブ、ＣＤ−ＲＯＭ、ＤＶＤ、又は他のディスク記憶装置、磁気カセット、磁気テープ、磁気ディスク記憶装置等が挙げられるが、これらに限定されるものではない。記憶メモリに記憶される情報は、プロセッサ３８にアクセスされるプログラムモジュール及びデータを含んでもよいが、これらに限定されるものではない。一般に、プログラムモジュールは、特定のタスクを実行するか特定の抽象データ型を実現する、ルーチン、アプリケーション、オブジェクト、コンポーネント、データ構造等を含んでもよい。ここで述べるシステムメモリ及び記憶メモリはコンピュータで読み出し可能な様々な記憶媒体の単なる例示であることは理解されるであろう。
【００２９】
記憶システム４０はまた、第１のデバイス２２の測定システム３２から又は通信システム３４を介して第２のデバイス２４における測定システムからの情報を記憶するように構成されていてもよい。記憶システム４０で情報を受信すると、プロセッサ３８は、測定システム３２から又は第１の通信システム３４からの情報を直接ディスプレイ３０で表示する命令を実行するように構成されていてもよい。
【００３０】
ユーザが第１のデバイス２２とやり取りをするために、Ｉ／Ｏインターフェース２８は、システム２０内においてプロセッサ３８がユーザ及び／又は他の構成要素から入力を受け、かつそれらに出力できるような様々な構成要素を備えてもよい。Ｉ／Ｏインターフェース２８は、図示される実施形態においてはキーパッド３６及びディスプレイ３０を備えているが、ＬＣＤ、ＬＰＤ、ＯＬＥＤディスプレイ等のディスプレイ、キーパッド、ハード又はソフトキーボード、タッチパッド、コントローラー、物理的なボタン、スクロールホイール、デジタルペン、トラックボール、ジョイスティック等を備えてもよく、またこれらに限定されるものではない。少なくとも１つの実施形態において、ディスプレイ３０は、別体のキーパッド３６を必要としないタッチスクリーン等のＩ／Ｏインターフェースとして構成されてもよい。Ｉ／Ｏインターフェース２８は、１又は複数の第２のデバイス２４から入力を受け、ある実施形態においては１又は複数の第２のデバイス２４に出力してもよい。
【００３１】
同じく図２（ａ）に示すように、第１の通信システム３４は、ＵＳＢ、ＷｉＦｉ、又はＢＬＵＥＴＯＯＴＨ等の、情報を送信及び／又は受信するための適切な有線又は無線の通信プロトコルを用いて１又は複数のそれぞれ個別の第２のデバイス２４（図１に図示）と通信するための１又は複数の構成要素を備えるが、通信プロトコルはこれらに限定されるものではない。本開示のある実施形態では、システム２０において、ふさわしい通信プロトコルを用いた無線信号により、例えば第２のデバイス２４から第１のデバイス２２へ情報が伝達される。
【００３２】
さらに、第１のデバイス２２は、別のコンピュータデバイスと通信するための、例えばタブレット又はスマートフォン等の移動型コンピュータデバイス、パソコン、ノートパソコン、携帯情報端末といった、第２の通信システム４２等の通信回路を更に備えてもよい。通信回路は、１又は複数のネットワークを介して通信するためのモデム、送受信機、及び／又は送受信回路を備えてもよい。無線通信するために、第１及び第２のシステム３４、４２のうちのいずれかの通信回路は、１又は複数の適切なアンテナ（図示せず）を備えてもよい。図を分かりやすくするために、図２（ａ）は、通信回路に一般に備わっているアナログデジタル変換器、デジタルアナログ変換器、増幅器、デバイスコントローラ等を表示していない。上述した構成要素及び通信回路に備わりうる他の構成要素は当業者には既知であるため、詳細には説明しない。
【００３３】
いくつかの実施形態において、コンピュータデバイスと通信するために、第１のデバイス２２は、近距離フィールドプロトコル、赤外線プロトコル、ＢＬＵＥＴＯＯＴＨプロトコル、ＩＥＥＥ８０２プロトコル、ＵＳＢ、イーサーネット、又はＲＳ２３２接続等の有線接続等を介して接続できる通信デバイスを備えるように構成することができる。
【００３４】
いくつかの実施形態において、後で詳しく述べるように、第１のデバイス２２が第２のデバイス２４の近くに設置されたとき、Ｉ／Ｏインターフェース２８により、第１のデバイス２２は第２のデバイス２４に無線で連結又は接続可能になる。この場合、第２のデバイス２４は、トランスミッタ、送受信機、及び／又はその他の、第１のデバイス２２と接続しそこへ信号を送信するものを含む通信システム６４をさらに備える。
【００３５】
第１のデバイス２２が第２のデバイス２４と近接している場合、第１のデバイス２２が第２のデバイス２４から１又は複数の信号を受信し、それにより第１のデバイス２２を第２のデバイス２４に関連づけるように、第１の通信システム３４は発見及び結び付け工程を行ってもよい。発見及び結び付け工程は自動で行うこともできるし、スイッチ又はグラフィカルユーザーインターフェース要素等を介してユーザが開始してもよい。ある限定的でない実施形態において、第１のデバイス２２及び第２のデバイス２４は適切な無線信号を介して対になるように構成されている。
【００３６】
いったん連結すると、第１のデバイス２２は、Ｉ／Ｏインターフェース２８経由で第２のデバイス２４から測定データを受信する。測定データは、無線通信を介して又は別の通信ネットワーク上で第２のデバイス２４から第１のデバイス２２へ提供されてもよい。特に、第２のデバイス２４は、第２のデバイス２４で得た測定データ又は他のデータを第１のデバイス２２へ送るように構成されている。
【００３７】
次に図３に示すように、本開示のある実施形態において、例示的な実施形態による第１のデバイス１２２が設けられる。ディスプレイ１３０は、第１のデバイス１２２及び第２のデバイス（図３では図示せず）の両方からの測定値を表示するように構成されている。例えば、図３に示すように、ディスプレイ１３０は、第１の測定値１５０と第１の測定タイプ表示１５２（それぞれ「４６５．５」、「Ｖ  ＡＣ」と表示）とを有する。図示される実施形態において、測定タイプ表示１５２は、ロータリースイッチ１８２上で選択された測定タイプに対応する。さらに、ディスプレイ１３０は、第２の測定値１５４と、第２のデバイスからの測定値に対応する第２の測定タイプ表示１５６（それぞれ「４６６．６」、「Ｖ  ＡＣ」と表示）とを有する。第２の測定値１５４は、太字の「１」で示す識別名１５８によって識別される。
【００３８】
図示される実施形態において、第１のデバイス１２２のディスプレイ１３０は、第３の測定値１６０及び第３の測定タイプ表示１６２（それぞれ「７４．３」、「°Ｆ」と表示）並びに第４の測定値１６４及び第４の測定タイプ表示１６６（それぞれ「２５．６」、「Ａ  ＡＣ」と表示）をさらに備える。第３及び第４の測定値１６０、１６４は、それぞれ太字の「２」、「３」で示す識別名１６８、１７０によって識別され、第１のデバイス１２２に連結又は接続した別の第２のデバイスから受信される。上述したように、第１のデバイス１２２上のディスプレイ１３０は、個数を限定しない別の第２のデバイスからの測定情報を表示するように構成されてもよい。
【００３９】
複数の第２のデバイスに対する識別名１５８、１６８、１７０は、ユーザの識別を簡単にするために、第２のデバイスのそれぞれに対して個別に構成することが可能である。この場合、識別名１５８、１６８、１７０は、文字又はシンボルを何個含んでもよい。
【００４０】
図３に示す実施形態において、ディスプレイ１３０は、測定情報以外のシステム１２０に関する別の情報、例えば測定された危険電圧１７２、危険の可能性１７４、データの送信状態１７６、及び第１のデバイス１２２の電池の状態１７８を表示するように構成されてもよい。ディスプレイ１３０はまた、第１のデバイス１２２またはいずれかの第２のデバイスの（例えばＧＰＳで検出された）特定の位置、いずれかの第２のデバイスの名前又は識別情報、又は第２のデバイスからの他の情報又は測定パラメータ等の別の情報を含むように構成されてもよい。ディスプレイ１３０上で示す情報は、第１のデバイスの電池状態、第２のデバイスの電池状態、第２のデバイスのデータログ状態、第２のデバイスのデータ送信状態、第１のデバイスの識別、第２のデバイスの識別、第１のデバイスのＧＰＳ位置、第２のデバイスのＧＰＳ位置、第１のデバイスデータ、第２のデバイスデータ等を含んでもよいが、これらに限定するものではない。
【００４１】
図示される実施形態において、Ｉ／Ｏインターフェース１２８は、情報を入力するためのキーパッド１８０と、ロータリースイッチ１８２と、測定システム１３２とを有している。図示される実施形態において、キーパッド１８０は、「ＨＯＬＤ」、「ＭＩＮＭＡＸ」、「ＲＡＮＧＥ」、及び「ＳＨＩＦＴ」等の標準のデジタルマルチメーターボタン、及び標準でない無線機能ボタン１８４、１８６、１８８を含む、様々な異なる機能に対応する様々なボタンを備える。例えば、後で詳しく説明するように、ラジオボタン１８４を押して、通信回路３４をオンにして第２のデバイス２４を探すモジュール発見プロセスを開始するように第１のデバイス２２を設定することもできる。第２のデバイス２４が「発見」された後、ユーザは「ＳＥＬＥＣＴ」ボタン１８６を用いて、第２のデバイス２４を第１のデバイス２２と連結する（又は第１のデバイス２２から取り外す）ことができる。スクロールボタン１８８は、様々な「発見された」第２のデバイス２４の間をスクロールするのに用いられる。
【００４２】
上述したように、ロータリースイッチ１８２は、図３における複数のロータリースイッチ位置で示されるような直流電圧、交流電圧、抵抗、導通、及び電流を測定するための例示的な選択を含む。しかし、ロータリースイッチ１８２を、あらゆる種類の測定パラメータを選択するのに用いてもよいことは理解されるであろう。加えて、ロータリースイッチ１８２は、測定値を取得しデバイスをオフにする「ＯＦＦ」位置をさらに有する。
【００４３】
測定機器を接続するための測定インターフェース１３２は、測定値を得るために機器を接続する様々な端子を有する。図示される実施形態において、端子は、電流の測定値及び電流の周波数に対する入力端子であってもよい第１の端子１９０と、全ての計器に対するリターン端子であってもよい第２の端子１９２と、電圧、抵抗、ダイオード、容量、及び電圧周波数の測定値に対する入力端子であってもよい第３の端子１９４とを備える。
【００４４】
図１及び図２を再び参照して、第２のデバイス２４をさらに詳しく説明する。第２のデバイス２４は、第１のデバイス２２と実質的に似ていてもよいし、異なっていてもよい。この場合、第２のデバイス２４は図３に示すデジタルマルチメータと同じであってもよいし、別のテスト計器、例えば、温度モジュール（図４を参照）、クランプメータ（図５及び図６を参照）、又は屈曲可能な電流プローブメータ（図７を参照）であってもよい。
【００４５】
第２のデバイス２４で得られる測定値は、電圧、電流、振動、抵抗、容量、インダクタンス、周波数、温度、相対湿度、磁場、流速、湿度、分毎の回転数、圧力、距離、光、接触赤外線、デシベル、及び、ワット数、電力品質、波高率、及びデューティーサイクル等の第１の測定値から計算された値を含む、電気的、機械的、物理的、又は別のパラメータであってもよいが、これらに限定されるものではない。
【００４６】
図２（ａ）に示す実施形態に戻ると、第２のデバイス２４は、入出力（Ｉ／Ｏ）インターフェース５８（例えば、任意のディスプレイ６０及びユーザ入力のための入力インターフェース６６を含む）、測定値を取得するための測定システム６２、情報を送信及び／又は受信するための通信システム６４、中央処理装置（ＣＰＵ）又はプロセッサ６８、及び情報を記憶するための記憶システム７０を含む様々な構成要素を備えている。第２のデバイス２４は必ずしもディスプレイ６０を必要としないが、１つ備えていてもよい。その構成要素は、第１のデバイス２２について上述した構成要素と実質的に同様であるので、ここでは異なる点以外の説明を省略する。
【００４７】
第２のデバイス２４は、第１のデバイス２２で制御されてもよいし、独立して制御されてもよい。その場合、ユーザはテストのために第２のデバイス２４を立ち上げてもよいし、第１のデバイス２２を用いて第２のデバイス２４を立ち上げてもよい。さらに、第２のデバイス２４は、第２のデバイス２４のコントローラー又は第１のデバイス２２のコントローラーを用いて特定のテストパラメータを設定してもよい。
【００４８】
第２のデバイス２４は通信ボタン２８４（図４〜図７を参照）を備え、通信システム６４をオンにしてモジュール発見プロセスを開始することで、第１のデバイス２２が第２のデバイス２４に通信できることを「発見」又は識別する。同じボタン２８４を押し下げることで、通信システム６４がオフになる。ここで「発見」とは、第１のデバイス２２が第２のデバイス２４からの適合する無線信号を探す処理を意味する。発見した後、第２のデバイス２４及び第１のデバイス２２は互いに「連結」する。ここでいう「連結」とは、無線通信が行われることを意味する。ここでは通信ボタン２８４を備えるように図示及び説明しているが、第２のデバイス２４は、通信ボタンによる立ち上げを必要とせず、電源を入れると自動的に通信するように構成されてもよい。
【００４９】
本開示のある実施形態による発見処理を開始するには、ユーザは、それぞれ第１及び第２のデバイス２２、２４に設けられた通信ボタン１８４、２８４をアクティブにしてもよい。例えば、図２（ｂ）のフロー図におけるブロック８０、８４を参照されたい。図３に示す実施形態において、発見工程中に、送信状態識別名１７６を第１のデバイスに表示してもよい。第１のデバイス２２を立ち上げると、第１のデバイス２２は、例えば５秒毎に１回のように周期的に信号を送信する第２のデバイス２４からの信号（例えば、図２（ｂ）のフロー図におけるブロック８６を参照）を検出しようとする。第２のデバイス２４から送信される信号は、データ信号、プレゼント信号、又は別の信号（例えば図２（ｂ）のフロー図におけるブロック８２を参照）であってもよい。
【００５０】
第２のデバイス２４が第１のデバイス２２に発見されると（例えば図２（ｂ）のフロー図におけるブロック８８参照）、識別名が第１のデバイス２２上に表示される。例えば、第２のデバイス２４のモジュール番号を第１のデバイス２２のディスプレイ３０上に表示してもよい。発見後、第１のデバイス２２は第２のデバイス２４と連結するように構成されてもよい。本開示のある実施形態では、第２のデバイス２４は第１のデバイスと自動的に連結してもよい。別の実施形態では、ユーザが「ＳＥＬＥＣＴ」ボタン１８６を押して、第２のデバイス２４を第１のデバイス２２と連結させてもよい。同様に、ユーザが再び「ＳＥＬＥＣＴ」ボタン１８６を押すことで、第２のデバイス２４（例えば図２（ｂ）のフロー図におけるブロック９０参照）の選択を外し、それにより第２のデバイス２４の連結を外す、又は第１のデバイス２２と通信した状態を解除してもよい。複数の第２のデバイス２４を発見した場合、ユーザはスクロールボタン１８８を用いてそれらの異なる第２のデバイス２４間をスクロールしてもよい。
【００５１】
本開示のある実施形態において、連結プロセスにより第２のデバイス２４（例えばスリープモード）を起動し、第２のデバイス２４からの情報が第１のデバイス２２へ周期的に送信されるように通信を開始してもよい。この場合、第１のデバイス２２は、第２のデバイス２４からの測定データ等の情報を要求してもよく、第２のデバイス２４はその情報を第１のデバイス２２（例えば図２（ｂ）のフロー図におけるブロック９２、９４）へ送信してもよい。例えば、第２のデバイス２４が２０秒毎に１回測定値を取得するように構成されていれば、そのような測定データが生成されたときに第１のデバイス２２に送信することができる。そのような情報は、第２のデバイス２４の識別１５８、受信データ１５４、及びデータタイプ１５６等として、第１のデバイス２２上の表示内に示されてもよい。
【００５２】
第１のデバイス２２と１又は複数の第２のデバイス２４との連結を解除するために、第１のデバイス２２又は第２のデバイス２４の無線を切ってもよい。又は、第１のデバイス２２は、第２のデバイス２４との連結を単に解除するか、又は第２のデバイス２４との通信範囲から出るだけであってもよい。第１のデバイス２２が第２のデバイス２４との連結を解除するが第２のデバイス２４の無線が通信及びデータを測定するために残っている場合、第２のデバイス２４は測定値の取得を続け、データをその記憶システム２４０に記憶する。再連結すると、第２のデバイス２４は全ての記憶データを連結する第１のデバイス２２に送信するように構成されてもよい。
【００５３】
本開示のある実施形態では、システム２０は、第２のデバイス２４が第１のデバイス２２と通信するように構成されるシングルエンドの連結処理を備え、第１のデバイス２２及び第２のデバイス２４は、第１のデバイスのみを立ち上げることにより自動的に連結される。この場合、第２のデバイス２４は、例えば５秒に１回、周期的に信号を送信するように、既にアクティブになっている発見特徴を有して所定の場所でセットアップされてもよい。数時間又は数日後に、ユーザは、第１のデバイス２２のある領域を入力し、第１のデバイス上の発見ボタン２８４をアクティブにする。第１のデバイス２２が第２のデバイス２４を発見すれば、第１のデバイスは連結対象の第２のデバイス２４を一方的に選択し、第２のデバイス２４との通信リンクを確立する。特定の第１及び第２のデバイス２２、２４の間では、あらかじめ対にしておくことは不要である。ユーザは、第１のデバイス２２へのみ物理的アクセスを持っていてもよく、第２のデバイス２４へのアクセスを持っていなくてもよい。連結後、ユーザは第１のデバイス２２を用いて測定値を取得し、第２のデバイス２２からデータを受け取る。
【００５４】
ここで、システム２０の第２のデバイス２４は、連結を解除するように構成されていてもよく、ここで複数の第１のデバイス２２が同じ第２のデバイス２４と連結できることは理解されるであろう。したがって、１人目の技術者は自分の第１のデバイス２２を用いて１又は複数の第２のデバイス２４からの測定値を取得して読むことができ、自分の第１のデバイス２２を持つ２人目の技術者は、第１のデバイス２２の第２のデバイス２４との連結を解除した後に第２のデバイス２４からの測定値を取得し読むことができる。この構成は、第１のデバイス２２が紛失するか又は破損して交換する必要がある場合、又は別の第１のデバイス機器を持つ別の技術者がシステム２０の場所を訪れた場合などに特に役に立つ。さらに、システム２０がモジュール式であるため、必要であれば元のシステム２０において、別の測定値を得るための第２のデバイス２４を常に追加したり交換したりできる。
【００５５】
本開示のある実施形態において、第２のデバイス２４が１度に１つの第１のデバイス２２とだけ連結できるように、システム２０を構成してもよい。連結を解除した後、第２のデバイス２４は別の第１のデバイス２２と連結してもよい。この構成によれば、ユーザの混乱又は第２のデバイスの読み間違いの可能性が大幅に減少する。
【００５６】
本開示のある実施形態において、第１及び第２のデバイス２２、２４が通信リンクを介して互いに通信するとき、システム２０が信号を生成してもよい。例えば、第２のデバイス２４は、第１のデバイス２２と通信している間、視覚、振動、又は聴覚信号を生成してもよい。さらに、第１のデバイス２２は、通信相手の第２のデバイス２４を示す信号も生成してもよい。例えば、図３に示すように、第１のデバイス２２が「１」と識別された第２のデバイス２４と通信しているとき、ディスプレイ１３０の識別名１５８がハイライトされるか、点滅し始めてもよい。
【００５７】
図１に示すように、また上述したように、システム２０は、第１のデバイス２２が第２のデバイス２４のそれぞれと直接通信するように、１対多数の通信ネットワークに設定されてもよい。それぞれ個別のデバイスがネットワーク内の別の複数のデバイスと通信するメッシュ通信ネットワークと比べて、システム２０の通信ネットワークは、範囲が限定されているが、必要とする電力がメッシュ通信ネットワーよりも非常に少ない。本開示のある実施形態において、第１及び第２のデバイス２２、２４間の通信半径は、約１００メートル未満である。本開示の別の実施形態において、第１及び第２のデバイス２２、２４間の通信半径は約２０メートル未満である。
【００５８】
通信ネットワークの電力削減の必要性を考慮すると、第１及び第２のデバイス２２、２４は、少なくとも１００時間は持続する電池式で動作してもよい。しかし、電池の寿命は使用する電池の種類、システムで行われる計測の種類、システム内の電池の数、及びシステムのデバイスの動作の構成によって異なることは理解されるであろう。システムにおける各デバイスの予想寿命は変動してもよく、例えば、第１のデバイスは第２のデバイスと異なる予想寿命を有してもよい。システムの他の電力管理特徴は、デバイスのスリープ（非通信）モード、周期的な通信（例えば、第２のデバイスにおける５秒に１回等）を含む。
【００５９】
次に、システム２０の動作を説明する。ユーザは、第２のデバイス２４から１又は複数の適切なタイプを選択し、それらを検査対象に対して適切な位置に設置し、測定値を取得するように設定することにより、システム２０を設定する。例えば発見ボタン２８４（図４〜図７を参照）を押すことにより、第２のデバイス２４をオンにし、測定するよう設定し、通信モードに設定する。上述したように、通信のために立ち上げると、第２のデバイス２４は、第１のデバイス２２で受信（又は発見）されうる周期信号を送信する。
【００６０】
次に、ユーザは第１のデバイス２２をオンにし、特定のパラメータを測定するように設定する。また、ユーザは、例えば通信ボタン１８４（図３を参照）を押すことにより、第１のデバイス２２の発見モードをアクティブにする。第１のデバイス２２が１又は複数の第２のデバイス２４の位置を特定すると、ユーザは第２のデバイス２４のうちの１又は複数を第１のデバイス２２に連結し、その１又は複数の第２のデバイス２４からの周期的データを受信しはじめる。そのようなデータは、第１のデバイス２２のディスプレイ３０で見ることができる。
【００６１】
次に図８〜図１１を参照して、ゲートウェイデバイスを備えるシステムに関する本開示の別の実施形態を説明する。図８〜図１１に示す実施形態のゲートウェイシステムの構成要素は、以下で詳しく述べるように通信及び測定に関する違い以外は、図１〜図７を参照して既に説明した実施形態の多数の構成要素と材料及び動作において実質的に同様であることを理解されるであろう。説明を簡潔にするために、３００番台の数を用いる以外は、図１〜図７に示す実施形態で述べたシステム２０と同様の参照符号を、図８〜図１１に示すシステム３２０に用いる。
【００６２】
図８は、本開示のある実施形態によるゲートウェイデバイス３２２を備えるシステム３２０の模式図を示す。上述したように、ゲートウェイシステム３２０は既に述べたシステム２０と実質的に同様であってもよい。同様に、ゲートウェイ３２２は、測定するように構成された測定デバイスでなくてもよいことを除いては、既に述べた第１のデバイス２２と材料及び動作において実質的に同様であってもよい。
【００６３】
ゲートウェイデバイス３２２の構成要素は、入出力（Ｉ／Ｏ）インターフェース３２８（例えば、任意のディスプレイ３３０及びユーザ入力用の入力インターフェース３３６等）、第２のデバイス３２４から情報を受信及び／又は送信する第１の通信システム３３４、中央処理装置（ＣＰＵ）又はプロセッサ３３８、情報を記憶する記憶システム３４０、及びローカルコンピュータデバイス３４４ａ、又はインターネット３４４経由又はローカルネットワーク３４４ｃで、リモートコンピュータデバイスへ情報を受信及び／又は送信する第２の通信システム３４２、を含む様々な構成要素を含んでもよい。第１のデバイス２２とは異なり、ゲートウェイデバイス３２２は測定値を取得しなくてもよい。
【００６４】
第１の通信システム３３４は、情報を送信及び／又は受信するために適した有線又は無線の通信プロトコルであってもよい。本開示のある実施形態では、システム３２０において、固有のプロトコル（例えば図９を参照）を用いた無線信号によって、例えば第２のデバイス３２４からゲートウェイデバイス３２２へ情報が通信される。したがって、ゲートウェイデバイス３２２は、少なくとも１つの通信信号、例えば、少なくとも１つの測定デバイス３２４から直接受信した少なくとも１つの測定値を含む少なくとも１つの無線信号、を受信するように構成されている。
【００６５】
ゲートウェイデバイス３２２は、データを含む無線信号を、そのデータを含む別のプロトコルを用いた翻訳信号へと翻訳する信号トランスレーターを備える。例えば、ゲートウェイデバイス３２２は、第１の固有のプロトコルを用いる無線信号におけるデータを受信し、次いでその信号を、コンピュータデバイス３４４ａ、インターネット３４４ｂ、又はローカルネットワーク３４４ｃへ送信することができる第２のプロトコルを用いた信号へと翻訳する。本開示の実施形態において、コンピュータデバイス３４４ａ、インターネット３４４ｂ、又はローカルネットワーク３４４ｃへ情報を受信及び／又は送信する様々な第２の通信システム３４２は、ＵＳＢ（例えば図１０を参照）、Ｗｉ−Ｆｉ（例えば図１１を参照）、ＢＬＵＥＴＯＯＴＨ、イーサーネット、セルラー通信、及びＲＳ２３２通信を含むが、これらに限定されるものではない。
【００６６】
ゲートウェイデバイス３２２は、データを集めるデータメモリシステムをさらに備える。そのデータは、少なくとも１つの第２のデバイス３２４からの複数の測定値又は複数の第２のデバイス３２４からの複数の測定値を含んでもよい。したがって、第１の通信システム３３４は、複数の周期的な無線信号を受信するように構成されている。例えば、図８に示す実施形態のように、システム３２０は複数の第２のデバイス３２４を備えてもよい。本開示の実施形態によると、ゲートウェイデバイス３２２は、複数の第２のデバイス３２４から同時に又は互いに近いタイミングで、２つよりも多い、７つよりも多い、又は１０よりも多い無線信号を受信するように構成されていてもよい。一方、例えばＢＬＵＥＴＯＯＴＨシステムは、７つの互いに分離した構成要素とのみ通信するように構成されている。
【００６７】
上述した第１のデバイス２２と同様に、ゲートウェイデバイス３２２は単一連結システムを有するように構成されていてもよい。この場合、第２のデバイス３２４は、ゲートウェイデバイス３２２のみを用いてゲートウェイデバイス３２２と第２のデバイス２４との連結をアクティブにすることによりゲートウェイデバイス３２２と通信するように構成されてもよい。連結を解除するために、ゲートウェイデバイス３２２を立ち上げて、第２のデバイス３２４又はゲートウェイデバイス３２２を解除するか、連結した第２のデバイス３２４のいずれかの電源を単に切るだけでもよい。
【００６８】
ゲートウェイデバイス３２２はディスプレイを備えてもよいし、備えていなくてもよい。ディスプレイを備えないという特徴により、機器の複雑さが低減するとともに、デバイス３２２の盗難の恐れが少なくなると考えられる。本開示のある実施形態では、ゲートウェイデバイス３２２は携帯型デバイスである。本開示の別の実施形態では、ゲートウェイデバイス３２２は、使用を容易にするために、機械の制御パネルの位置又はその近く等の特定の場所に設置又は固定されてもよい。
【００６９】
ゲートウェイデバイス３２２は、データメモリシステムに集められたデータを計算することができるデータ操作システムをさらに備えてもよい。例えば、データ操作システムは、値を計算したり、値を比較したり、傾向を示したり、又は図やデータを視覚的に表示するものを作成する。
【００７０】
これまで様々な図示された実施形態を説明してきたが、本開示の意図及び範囲を逸脱することなく変更を行ってもよいことは理解されるであろう。
【図１】
2014032668.tif 000003
【図２Ａ】
2014032668.tif 000004
【図２Ｂ】
2014032668.tif 000005
【図３】
2014032668.tif 000006
【図８】
2014032668.tif 000007
【図９】
2014032668.tif 000008
【図１０】
2014032668.tif 000009
【図１１】
2014032668.tif 000010
【図４】
2014032668.tif 000011
【図５】
2014032668.tif 000012
【図６】
2014032668.tif 000013
【図７】
2014032668.tif 000014